(57)【特許請求の範囲】
【請求項１】
原稿を載置するコンタクトガラスと、コンタクトガラスを装着する開口部を上面に備えたフレームと、コンタクトガラス上の原稿の画像を読取るために走査する画像読取機能部と、を備えた画像読取り装置に装備され、原稿突当て基準として上記コンタクトガラスの端縁に沿って配置される原稿ガイドにおいて、
上記原稿ガイドは、原稿突き当て基準となる基準端縁を備えた細幅板状部と、該細幅板状部の他端縁に突設された板状の取付け片と、を備え、
上記取付け片には、ネジ穴と、該取付け片の板面平面視で、Ｕ字形状のＵ字穴及びテーパ−形状のテーパー形状部が形成され、
上記フレームの上面に形成した開口部周縁適所には上記取付け片のネジ穴と整合するネジ穴と、上記Ｕ字穴内に着座する突起が所定の配置で形成され、
上記Ｕ字穴は奥端部に上記突起を着座させる着座部を有し、
上記テーパー形状部は、Ｕ字穴と連通し、Ｕ字穴から離間するほど内径が漸増するように構成されていることを特徴とする原稿ガイド。
【請求項２】
上記原稿ガイドは板金製であり、上記Ｕ字穴と連通するテーパー形状部は原稿ガイドを構成する板金を貫通した穴、或は一方が開放した切欠きとして構成されていることを特徴とする請求項１記載の原稿ガイド。
【請求項３】
上記原稿ガイドは樹脂製であり、上記Ｕ字穴及びテーパー形状部の代わりに、これらの位置に相当する原稿ガイドの裏面にＵ字溝及びテーパー形状溝を形成したことを特徴とする請求項１記載の原稿ガイド。
【発明の詳細な説明】
【０００１】
【発明の属する技術分野】
本発明は原稿セット台としてのコンタクトガラスを備えた画像読取り装置において原稿突き当て基準として使用される原稿ガイド（原稿スケール）の改良に関し、特に原稿ガイドを筐体上の所定位置に固定する際の位置精度を確保することができる原稿ガイドに関する。
【０００２】
【従来の技術】
複写機等の画像形成装置や、フラットベッド型スキャナ等のように画像読取り機能を備えた装置（以下、画像読取り装置、という）にあっては、図５、図６に示すように原稿セット台として透明なコンタクトガラス１が用いられる。即ち、図５，図６は画像読取り装置のフレーム２の上面に設けられるコンタクトガラス１を示しており、フレーム２の上面に設けた開口２ａを塞ぐ様にコンタクトガラス１が配置され、コンタクトガラス１の左側端縁と、奥側端縁に沿って夫々原稿突き当て基準としての原稿ガイド（原稿スケール）３、４が夫々固定されている。これら２つの原稿ガイド３、４は、その交点が直角となるように配置されており、オペレータは原稿の端縁をこれらの原稿ガイド３、４に突き当てることによりセットする。
原稿ガイド３、４は、図６に示すようにネジ穴３ａ，４ａを有し、各ネジ穴３ａ，４ａを夫々フレーム上面の対応するネジ穴と整合させた状態でネジ５を螺着することにより固定される。しかし、ネジ穴にネジ５を螺着することにより単純に固定するだけであると、原稿ガイドとフレーム側に夫々設けたネジ穴の内径と、ネジ５の外径との寸法差により、取付位置、取付け状態にバラツキが発生し、２つの原稿ガイド３、４を直交させることができなくなるという問題が生じる。そこで、フレーム側に半抜きやエンボス等の、外形寸法を厳しく管理できる突出形状を設けると共に、原稿ガイド側にはこの突出形状と嵌合する丸穴や長穴を設け、これらの凹凸嵌合によって位置決めをした上で、ネジ穴による固定する方法が採用されている。
なお、原稿ガイドを樹脂にて構成する場合には、上記位置決め用の丸穴や長穴のような貫通穴を設ける代わりに、ブラインド形状の凹所を原稿ガイド裏面に形成することにより、オペレータにとって不要な穴及び突出形状を隠蔽し、外観品質の悪化を防いでいる。
一方、原稿ガイドが板金製である場合には、位置決め用の丸穴や長穴は当然貫通穴となるが、この原稿ガイドをフレーム上に固定した場合には貫通穴と突出形状が外観上露出するため、一般にはこの部分を外装カバーにより覆い隠す方法がとられる。従って、オペレータから見えるのは外装カバーによって隠蔽されていないネジ穴及びネジのみということになる。
このように原稿ガイドには位置精度と外観品質の確保という要求があり、これらの要求を満足する為に上記のごとき原稿ガイド及びその取付け構造が採用されているが、このような構造であると、原稿ガイドの位置袷を専ら作業者の「勘」に頼って行わねばならず、熟練仕事となり、組み付け性の悪い作業とされていた。特に、市場においては機械のダウンタイムを短縮して稼働率を高め、またサービスコストを低減するという意味から、サービスマンがメンテナンスに費やす時間をできるかぎり短縮する方向で進んでいる為、原稿ガイドの組み付け性の改善が強く求められている。
【０００３】
【発明が解決しようとする課題】
本発明が解決しようとする課題は、原稿セット台としてのコンタクトガラスを備えた画像読取り装置において原稿突き当て基準として使用される原稿ガイド（原稿スケール）を、読取り装置の組立て時、メンテナンス時等に、容易かつ精度良く筐体上の所定位置に固定することを可能とした原稿ガイドを提供することにある。
【０００４】
【課題を解決するための手段】
上記課題を達成するため、請求項１の発明は、原稿を載置するコンタクトガラスと、コンタクトガラスを装着する開口部を上面に備えたフレームと、コンタクトガラス上の原稿の画像を読取るために走査する画像読取機能部と、を備えた画像読取り装置において、原稿突当て基準として上記コンタクトガラスの端縁に沿って配置される原稿ガイドにおいて、上記原稿ガイドは、原稿突き当て基準となる基準端縁を備えた細幅板状部と、該細幅板状部の他端縁に突設された板状の取付け片と、を備え、上記取付け片には、ネジ穴と、該取付け片の板面平面視で、Ｕ字形状のＵ字穴及びテーパ−形状のテーパー形状部が形成され、上記フレームの上面に形成した開口部周縁適所には上記取付け片のネジ穴と整合するネジ穴と、上記Ｕ字穴内に着座する突起が所定の配置で形成され、上記Ｕ字穴は奥端部に上記突起を着座させる着座部を有し、上記テーパー形状部は、Ｕ字穴と連通し、Ｕ字穴から離間するほど内径が漸増するように構成されていることを特徴とする。請求項２の発明は、上記原稿ガイドは板金製であり、上記Ｕ字穴と連通するテーパー形状部は原稿ガイドを構成する板金を貫通した穴、或は一方が開放した切欠きとして構成されていることを特徴とする。請求項３の発明は、上記原稿ガイドは樹脂製であり、上記Ｕ字穴及びテーパー形状部の代わりに、これらの位置に相当する原稿ガイドの裏面にＵ字溝及びテーパー形状溝を形成したことを特徴とする。
【０００５】
【発明の実施の形態】
以下、本発明を図面に示した実施の形態により詳細に説明する。
図１(a) (b) 及び(c) は本発明の第１の実施形態の原稿ガイドを示す平面図、背面図、及び右側面図であり、図２(a) 及び(b) は原稿ガイドをフレーム（筐体）に取り付ける手順を示す図である。この原稿ガイド１０は図５等に示した原稿ガイド３、４と同様に画像読取り装置のフレーム上面に設けた開口部周縁に固定されることにより、開口部を閉止するコンタクトガラスの端縁に沿って配置されるものである。
この原稿ガイド１０は、原稿突き当て基準となる基準端縁１１ａを備えた細幅板状部１１と、該細幅帯状部１１の他端縁１１ｂに突設された少なくとも２つの取付け片１２と、を備えている。また、図１(c) に示すように細幅板状部１１と取付け片１２とは、平板状に連結しているのではなく段差状に連結している。また、基準端縁１１ａも細幅帯状部本体と段差状に連結している。
上記各取付け片１２には、夫々ネジ穴１３と、Ｕ字穴１４と、Ｕ字穴１４と連通したテーパー形状部１５とが形成されている。また、画像読取り装置のフレーム２の上面に形成した開口部２ａ周縁適所には取付け片のネジ穴１３と整合するネジ穴２０と、Ｕ字穴１４内に整合状態で嵌合される突起２１が所定の配置で形成されている。Ｕ字穴１４は貫通穴であるが、一端側がテーパー形状部１５と連通しているので、全体として切欠き形状となっている。
Ｕ字穴１４は奥端部に突起２１を位置決めして着座させる着座部を有すると共に、Ｕ字穴１４の一端は外側へ向かうほど内壁間の間隔が漸増するように構成されたテーパー形状部１５と連通している。
【０００６】
突起２１は、例えば加工精度の良いエンボスとし、突起２１がＵ字穴１４内に着座することによってフレーム上面に対する原稿ガイド１０の位置決めが精度良く（例えば、０．１ｍｍ以下の精度誤差内で）行われることとなる。このようにＵ字穴１４と突起２１との形状や位置精度を一定以上に保持することにより、原稿ガイド１０の位置決め精度が高まるので、ネジ穴１３、２０を利用したネジ止めは単なる固定のための作業となり、ネジ止めに依存した位置精度の確保が不要となる。従って、ネジ穴の内径とネジの外径との間の誤差等によって原稿ガイドの位置決め精度が悪化するという不具合がなくなる。
なお、突起２１としては、エンボス以外でも、半抜き等の外形寸法を厳しく管理できる突出形状を採用することができる。
原稿ガイド１０をフレーム２に取り付ける際には、当初取付け片１２のテーパー形状部１５の内壁によって突起２１がガイドされるように大まかな感覚で差込み、かつスライドさせ、最後にＵ字穴１４内に突起２１を緊密に着座させる。この状態でフレームに対する原稿ガイド１０の位置決めは完了しており、後はネジ２２を用いてネジ穴同士１３、２０を螺着することにより原稿ガイドの固定が完了する。
図５(b) に示すようにネジ２２を用いて両ネジ穴１３、２０を止めることにより原稿ガイド１０を固定し、外装カバー２５をかぶせて完了する。外観上、外装カバー２５から露出して見えるのは、原稿ガイド１０の一部（原稿サイズ等が表示されている基準端縁１１ａ）と、ネジ２２のみであり、Ｕ字穴１４、テーパー形状部１５、突起２１は外装カバーにより覆われて隠蔽されている。
このようにこの形態例の原稿カバー及びフレーム側の構造によれば、取付け片１２をフレーム側に取り付ける際に、内径が漸増するテーパー形状部１５内に突起２１が入り込むように大まかな位置合わせをした上で、原稿ガイドをスライドさせて突起２１がＵ字状穴１４内に着座するようにし、この状態で位置決めが完了する。このため、後はネジ穴にネジ２２を螺着するだけで原稿ガイド１０をフレーム上に精度良く固定することができる。この際、仮に、ネジ穴の内径とネジの外径との間に僅かな寸法誤差があったとしても、原稿ガイド１０の位置決めはＵ字穴１４と突起２１とによって既になされているので、Ｕ字穴１４の奥部に突起２１を着座させつつネジ締めを行いさえすれば、Ｕ字穴１４と突起２１とのネジ２２を締めつけた時に発生し得る僅かなずれに影響されることなく、精度の良い位置決め固定が行える。
即ち、この位置決め、固定方法によれば、従来の丸穴、長穴を利用した方法に比して格段にセット性が向上する。
【０００７】
次に、図３は本発明の他の実施の形態に係る原稿ガイドの構成を示す斜視図であり、この原稿ガイド１０は板金製であり、細幅板状部１１の他端縁１１ｂから突出する取付け片１２が他端縁１１ｂの全長に沿って延びる帯状体であり、この取付け片１２にはネジ穴１３と、Ｕ字穴１４と、Ｕ字穴１４と連通したテーパー形状部１５が形成されている。この形態例の特徴は、テーパー形状部１５が一端が開放した切欠きではなくＵ字穴１４と連通した一つの貫通穴を構成している点である。
この形態例の原稿ガイド１０をフレーム２上面に取り付ける場合も、図２の場合と同様にフレーム上のネジ穴２０と突起２１とを利用して行う。即ち、貫通穴としてのテーパー形状部１５内に突起２１を嵌合させてから原稿ガイド全体をスライドさせてＵ字穴１４内に突起２１を着座させることにより位置決めを行った上で、この状態を維持しつつネジ穴１３、２０内に図示しないネジ２２を螺着固定することにより原稿ガイドの固定が完了する。
この位置決め、固定方法によれば、従来の丸穴、長穴を利用した方法に比して格段にセット性が向上する。
また、外装カバーを取り付けることにより、Ｕ字穴１４、テーパー形状部１５は隠蔽される。
次に、図４(a) 及び(b) は原稿ガイドを樹脂製とした場合の構成例を示す平面図、及び底面図である。樹脂材料によって原稿ガイドを構成した場合には、Ｕ字穴、テーパー形状部を貫通穴としてではなく、底面に設けた溝（凹所）として構成することができるので、これらが外観に現れず、外観性が向上する。
即ち、細幅板状部１１に連設された取付け片１２に対して貫通穴としてのネジ穴１３を設ける点は上記各形態例と同様であるが、各ネジ穴１３に隣接配置されるＵ字穴１４及びテーパー形状部１５の代わりに、これらと同等の機能を有した溝、即ちＵ字溝１４’、テーパー形状溝１５’を取付け片１２の底面に設けた構成が特徴的である。これらに対応するフレーム側の構成は、上記各形態例と同等であり、ネジ穴２０と、エンボス等による突起２１が、夫々ネジ穴１３とＵ字溝１４に対応する位置関係で形成されている。
この原稿ガイド１０をフレーム上面に取り付けるに際しては、上記各形態例の場合と同様に、テーパー形状溝１５’内に大ざっぱな位置合わせによって突起２１を嵌合してから原稿ガイドをスライドさせて突起２１をＵ字溝１４’内に着座させる。この状態を維持しながら、ネジ穴１３、２０内にネジを螺着固定することにより精度のよい取付けが完了する。
また、Ｕ字溝、テーパー形状溝は、原稿ガイド表面に現れないので、外装カバーを用いて隠蔽しなくても、外観を維持することができる。
なお、上記いずれの形態例においても、図５等に示した左側と奥側の各原稿ガイドをコンタクトガラスの周辺に取り付ける際に、両者を直交させることが可能となる。
【０００８】
【発明の効果】
以上のように本発明によれば、原稿セット台としてのコンタクトガラスを備えた画像読取り装置において原稿突き当て基準として使用される原稿ガイド（原稿スケール）を、読取り装置の組立て時、メンテナンス時等に、容易かつ精度良く筐体上の所定位置に固定することを可能とした原稿ガイドを提供することができる。
即ち、請求項１の発明では、原稿ガイドは、原稿突き当て基準となる基準端縁を備えた細幅板状部と、該細幅帯状部の他端縁に突設された取付け片と、を備え、取付け片には、ネジ穴と、Ｕ字穴及びテーパー形状部が形成され、フレームの上面に形成した開口部周縁適所には上記取付け片のネジ穴と整合するネジ穴と、Ｕ字穴内に着座する突起が所定の配置で形成され、テーパー形状部は、Ｕ字穴と連通し、Ｕ字穴から離間するほど内径が漸増するように構成されているので、フレーム上の突起をテーパー形状部内に大ざっぱに嵌合してから原稿ガイドをスライドさせてＵ字穴内に突起を着座させることにより精度の良い位置決めが完了する。後は、Ｕ字穴と突起との位置関係を維持したままネジ穴を利用してネジ止めを行うことにより精度の良い原稿ガイドの固定が完了する。
次に、請求項２の発明では、原稿ガイドは板金製であり、上記Ｕ字穴と連通するテーパー形状部は原稿ガイドを構成する板金を貫通した穴、或は一方が開放した切欠きとして構成されているので、大ざっぱに突起を嵌合させるのに適しており、作業性が向上する。つまり、熟練度の低い作業者によっても十分な確率で精度の良い位置決め、固定作業が可能となる。
請求項３の発明では、上記原稿ガイドは樹脂製であり、上記Ｕ字穴及びテーパー形状部の代わりに、これらの位置に相当する原稿ガイドの裏面にＵ字溝及びテーパー形状溝を形成したので、Ｕ字溝、テーパー形状溝が外面に現れず、従って外装カバーによって隠蔽する必要もなくなる。
【図面の簡単な説明】
【図１】  (a) (b) 及び(c) は本発明の第１の形態例の原稿ガイドを示す平面図、背面図、及び右側面図。
【図２】  (a) 及び(b) は原稿ガイドをフレーム（筐体）に取り付ける手順を示す図。
【図３】本発明の他の実施の形態に係る原稿ガイドの構成を示す斜視図。
【図４】  (a) 及び(b) は原稿ガイドを樹脂製とした場合の構成例を示す平面図、及び底面図。
【図５】従来の原稿ガイドの取付け状態の説明図。
【図６】従来の原稿ガイドの取付け手順の説明図。
【符号の説明】
１０  原稿ガイド、１１  細幅板状部、１１ａ  基準端縁、１１ｂ  他端縁，１２  取付け片，１３  ネジ穴，１４  Ｕ字穴，１５  テーパー形状部，２０  ネジ穴，２１  突起，２２  ネジ、２５  外装カバー。
【図１】
0003910304.tif 000002
【図２】
0003910304.tif 000003
【図３】
0003910304.tif 000004
【図４】
0003910304.tif 000005
【図５】
0003910304.tif 000006
【図６】
0003910304.tif 000007